(57)【要約】  本発明の一実施形態によるバッテリーモジュールは、バッテリーセル、前記バッテリーセルに備えられた電極リードに取り付けられるバスバー、及び前記バッテリーセルのテラス部に取り付けられて電極リードとバスバーの少なくとも一部をその内側に収容するバスバーフレームを含む複数の単位モジュールが積層されて形成される単位モジュール積層体と、前記バスバーフレームに備えられたコネクタホルダによって固定されて前記バスバーと接触するコネクタとを含む。
2020535601.tif 000002
【特許請求の範囲】
【請求項１】
バッテリーセル、前記バッテリーセルに備えられた電極リードに取り付けられるバスバー、及び前記バッテリーセルのテラス部に取り付けられて前記電極リードと前記バスバーの少なくとも一部をその内側に収容するバスバーフレームを含む複数の単位モジュールが積層されて形成される単位モジュール積層体と、
前記バスバーフレームに備えられたコネクタホルダによって固定されて前記バスバーと接触するコネクタとを含むバッテリーモジュール。
【請求項２】
前記コネクタホルダによって前記コネクタの固定位置がブロック化される、請求項１に記載のバッテリーモジュール。
【請求項３】
前記バスバーフレームは、前記テラス部の上面の少なくとも一部を覆う第１単位フレームと、前記テラス部の下面の少なくとも一部を覆い、前記第１単位フレームに結合される第２単位フレームとを含む、請求項１又は２に記載のバッテリーモジュール。
【請求項４】
前記第１単位フレームと前記第２単位フレームとはその形状が互いに点対称関係である、請求項３に記載のバッテリーモジュール。
【請求項５】
前記第１単位フレーム及び前記第２単位フレームは、それぞれ、
対向面上に形成される少なくとも一つ以上の固定突起、及び前記固定突起に対応する大きさと形状を有する突起収容溝を備える、請求項３又は４に記載のバッテリーモジュール。
【請求項６】
前記第１単位フレームの結合面に形成された前記固定突起は、前記第２単位フレームの結合面に形成された前記突起収容溝に対応する大きさと形状で、対応する位置に形成される、請求項５に記載のバッテリーモジュール。
【請求項７】
前記固定突起及び前記突起収容溝は、前記第１単位フレームと前記第２単位フレームそれぞれの前記対向面の反対側の面上にも形成される、請求項５又は６に記載のバッテリーモジュール。
【請求項８】
請求項１から７のいずれか一項に記載のバッテリーモジュールが複数個連結されて具現されるバッテリーパック。
【請求項９】
請求項８に記載のバッテリーパックを含む自動車。
【発明の詳細な説明】
【技術分野】
【０００１】
本発明は、直／並列連結を容易にする構造を有するバッテリーモジュール及びそれを含むバッテリーパックに関し、より詳しくは、それぞれの単位モジュール毎にバスバーが備えられ、多様な大きさのコネクタを用いて互いに隣接したバッテリーセルを２個または３個以上ずつ電気的に連結することで、所望の直／並列連結構造を自在に構成できるバッテリーモジュール及びそれを含むバッテリーパックに関する。
【０００２】
本出願は、２０１８年４月２０日出願の韓国特許出願第１０−２０１８−００４６３０５号に基づく優先権を主張し、当該出願の明細書及び図面に開示された内容は、すべて本出願に組み込まれる。
【背景技術】
【０００３】
複数のバッテリーセルを含んで構成されるバッテリーモジュールは、それぞれのバッテリーセルの電極リード同士をバスバーを用いて連結することで、バッテリーセル間の電気的連結が具現される。
【０００４】
図１及び図２を参照すれば、従来のバッテリーモジュールの構造が示されている。
【０００５】
このような従来のバッテリーモジュールでは、複数のバッテリーセル１を積層してセル積層体２を構成した後、バスバー３を含むバスバーフレーム４をバッテリーセル積層体２の両側に結合することで、複数のバッテリーセル１の間に直列連結形態、並列連結形態または直列と並列とが混合された連結形態を具現することができる。
【０００６】
このような従来のバッテリーモジュールは、所望の電気的連結形態及びセル積層体２の大きさや形状に合わせた専用のバスバーフレーム４が個別的に求められるため、新たなモデルを開発する度にそれに応じたバスバーフレームを開発及び製作しなければならないという問題がある。
【発明の概要】
【発明が解決しようとする課題】
【０００７】
本発明は、上記問題点に鑑みてなされたものであり、新たなモデルのバッテリーモジュールを開発する度にそれに応じた専用バスバーフレームを製作する必要なく、所望の電気的連結関係に合わせてバッテリーセルの個数及びコネクタのサイズ／数量のみを変えて、容易に多様な形態のバッテリーモジュールを製作可能にすることを目的とする。
【０００８】
ただし、本発明が解決しようとする技術的課題は上述した課題に制限されず、他の課題は下記の発明の説明から当業者に明確に理解できるであろう。
【課題を解決するための手段】
【０００９】
上述した問題点を解決するため、本発明の一実施形態によるバッテリーモジュールは、バッテリーセル、前記バッテリーセルに備えられた電極リードに取り付けられるバスバー、及び前記バッテリーセルのテラス部に取り付けられて電極リードとバスバーの少なくとも一部をその内側に収容するバスバーフレームを含む複数の単位モジュールが積層されて形成される単位モジュール積層体と、前記バスバーフレームに備えられたコネクタホルダによって固定されて前記バスバーと接触するコネクタとを含む。
【００１０】
前記コネクタホルダによって前記コネクタの固定位置がブロック化され得る。
【００１１】
前記バスバーフレームは、前記テラス部の上面の少なくとも一部を覆う第１単位フレームと、前記テラス部の下面の少なくとも一部を覆い、前記第１単位フレームに結合される第２単位フレームとを含み得る。
【００１２】
前記第１単位フレームと第２単位フレームとはその形状が互いに点対称関係であり得る。
【００１３】
前記第１単位フレーム及び第２単位フレームは、それぞれ、対向面上に形成される少なくとも一つ以上の固定突起、及び前記固定突起に対応する大きさと形状を有する突起収容溝を備え得る。
【００１４】
前記第１単位フレームの結合面に形成された固定突起は、第２単位フレームの結合面に形成された突起収容溝に対応する大きさと形状で、対応する位置に形成され得る。
【００１５】
前記固定突起及び突起収容溝は、前記第１単位フレームと第２単位フレームそれぞれの対向面の反対側の面上にも形成され得る。
【００１６】
本発明の一実施形態によるバッテリーパックは、上述した本発明の一実施形態によるバッテリーモジュールが複数個連結されて具現される。
【００１７】
一方、本発明の一実施形態による自動車は、このような本発明の一実施形態によるバッテリーパックを含む形態で具現される。
【発明の効果】
【００１８】
本発明の一実施形態によれば、新たなモデルのバッテリーモジュールを開発する度にそれに応じた専用バスバーフレームを製作する必要なく、所望の電気的連結関係に合わせてバッテリーセルの個数及びコネクタのサイズ／数量のみを変えて、容易に多様な形態のバッテリーモジュールを製作することができる。
【００１９】
本明細書に添付される次の図面は、本発明の望ましい実施形態を例示するものであり、発明の詳細な説明とともに本発明の技術的な思想をさらに理解させる役割をするため、本発明は図面に記載された事項だけに限定されて解釈されてはならない。
【図面の簡単な説明】
【００２０】
【図１】従来のバッテリーモジュールの構造を示した図である。
【図２】従来のバッテリーモジュールの構造を示した図である。
【図３】本発明の一実施形態によるバッテリーモジュールの一部を示した斜視図である。
【図４】本発明の一実施形態によるバッテリーモジュールの一部を示した正面図である。
【図５】本発明の一実施形態によるバッテリーモジュールに適用される単位モジュール積層体を示した図である。
【図６】本発明の一実施形態によるバッテリーモジュールに適用される単位モジュールを示した分解斜視図である。
【図７】本発明の一実施形態によるバッテリーモジュールに適用されるバッテリーセルを示した斜視図である。
【図８】本発明の一実施形態によるバッテリーモジュールに適用される単位モジュールとバスバーとが結合された形態を示した正面図である。
【図９】本発明の一実施形態によるバッテリーモジュールに適用されるバスバーフレームを構成する単位フレームを示した斜視図である。
【図１０】本発明の一実施形態によるバッテリーモジュールに適用されるバスバーフレームを構成する単位フレームを図９と異なる角度で示した斜視図である。
【図１１】本発明の一実施形態によるバッテリーモジュールに適用されるバスバーフレームを構成する単位フレームを示した側面図である。
【図１２】ブロック化されたコネクタ結合座に一種のバスバーを複数個用いて１３個のバッテリーセルを１Ｐ／１３Ｓタイプで連結する様子を示した図である。
【図１３】ブロック化されたコネクタ結合座に一種のバスバーを複数個用いて１３個のバッテリーセルを１Ｐ／１３Ｓタイプで連結する様子を示した図である。
【図１４】ブロック化されたコネクタ結合座に二種のバスバーを用いて１２個のバッテリーセルを２Ｐ／６Ｓタイプで連結する様子を示した図である。
【図１５】ブロック化されたコネクタ結合座に二種のバスバーを用いて１２個のバッテリーセルを２Ｐ／６Ｓタイプで連結する様子を示した図である。
【発明を実施するための形態】
【００２１】
以下、添付された図面を参照して本発明の望ましい実施形態を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２２】
まず、図３〜図６を参照して本発明の一実施形態によるバッテリーモジュールの全体的な構成について説明する。
【００２３】
図３は本発明の一実施形態によるバッテリーモジュールの一部を示した斜視図であり、図４は本発明の一実施形態によるバッテリーモジュールの一部を示した正面図である。また、図５は本発明の一実施形態によるバッテリーモジュールに適用される単位モジュール積層体を示した図であり、図６は本発明の一実施形態によるバッテリーモジュールに適用される単位モジュールを示した分解斜視図である。
【００２４】
図３及び図４を参照すれば、本発明の一実施形態によるバッテリーモジュールは、単位モジュール積層体１０、コネクタ２０及び外部端子３０を含む形態で具現される。
【００２５】
図５及び図６を参照すれば、前記単位モジュール積層体１０は、複数の単位モジュール１００が積層されて具現される一つの積層体であり、それぞれの単位モジュール１００は、バッテリーセル１１０、バッテリーセル１１０の電極リード１１４と連結されるバスバー１２０、及びバッテリーセル１１０のテラス部Ｔに取り付けられるバスバーフレーム１３０を含む形態で具現される。それぞれの単位モジュール積層体１０は、互いに隣接したバッテリーセル１１０の広い面同士が対面するように積層されて形成されるものである。
【００２６】
前記コネクタ２０は、互いに隣接した単位モジュール積層体１０同士を電気的に連結するための部品であって、互いに隣接した単位モジュール積層体１０にそれぞれ備えられたバスバー１２０同士を連結する。
【００２７】
前記外部端子３０は、単位モジュール積層体１０を構成する複数の単位モジュール１００のうち最外側に配置される単位モジュール１００に備えられるバスバー１２０と接触して、外部電子機器との電気的連結のための端子として機能する。
【００２８】
以下、図６とともに図７を参照して、本発明の一実施形態による単位モジュール１００を構成するバッテリーセル１１０について説明する。
【００２９】
図６は本発明の一実施形態によるバッテリーモジュールに適用される単位モジュールを示した分解斜視図であり、図７は本発明の一実施形態によるバッテリーモジュールに適用されるバッテリーセルを示した斜視図である。
【００３０】
図６及び図７を参照すれば、前記バッテリーセル１１０としては、パウチ型バッテリーセルが適用され得る。前記バッテリーセル１１０は、電極組立体（図示せず）、セルケース１１１及び電極リード１１４を含む形態で具現される。
【００３１】
図示していないが、前記電極組立体は、交互に繰り返して積層された正極板と負極板との間にセパレータを介在させた形態を有し、両側の最外郭には絶縁のためにセパレータがそれぞれ位置することが望ましい。
【００３２】
前記正極板は、正極集電体及びその一面または両面上にコーティングされる正極活物質層からなり、その一端部には正極活物質がコーティングされていない正極無地部領域が形成されるが、このような正極無地部領域は電極リード１１４と連結される正極タブとして機能する。
【００３３】
同様に、前記負極板は、負極集電体及びその一面または両面上にコーティングされる負極活物質層からなり、その一端部には負極活物質がコーティングされていない負極無地部領域が形成されるが、このような負極無地部領域は電極リード１１４と連結される負極タブとして機能する。
【００３４】
また、前記セパレータは、正極板と負極板との間に介在されて、異なる極性を有する電極板同士が直接接触することを防止するが、正極板と負極板との間で電解質を媒介体にしたイオンの移動ができるように、多孔性材質からなり得る。
【００３５】
前記セルケース１１１は、電極組立体（図示せず）を収容する収容部１１２、及び収容部の周縁方向に延びて、電極リード１１４が外部に引き出された状態で熱融着され、セルケース１１１を密封させるシーリング部１１３の二つの領域を含む。
【００３６】
前記電極リード１１４は、正極タブに連結される正極リードと負極タブに連結される負極リードとに分けられ、正極リードと負極リードのそれぞれはセルケース１１１の外側に引き出されるが、互いに反対方向に引き出される。
【００３７】
一方、本発明では、前記収容部１１２の周縁に形成されるシーリング部１１３において、電極リード１１４が引き出される方向に位置するシーリング部１１３を特にテラス部Ｔと定義する。
【００３８】
以下、図６を再度参照して、本発明の一実施形態による単位モジュール１００を構成するバスバー１２０について説明する。
【００３９】
図６を参照すれば、前記バスバー１２０は、バスバーフレーム１３０に固定された状態で電極リード１１４と溶接によって接合され、一部はバスバーフレーム１３０の内側に位置し、他の一部はバスバーフレーム１３０の外側に露出する。このようにバスバーフレーム１３０の外側に露出するバスバーフレーム１３０の一部は、上述したコネクタ２０（図３及び図４を参照）に連結されることで、互いに隣接したバッテリー単位モジュール１００同士の電気的連結を形成することができる。
【００４０】
より具体的には、前記バスバー１２０は、接合部１２１、露出部１２２及びフック部１２３を含む。
【００４１】
前記接合部１２１は、電極リード１１４に平行な方向、すなわち水平方向に延びて電極リード１１４と接触し、バスバーフレーム１３０の内側に位置する。前記露出部１２２は、接合部１２１から曲げられて接合部１２１と垂直な方向に延び、バスバーフレーム１３０の外側に引き出されて後述するバスバー載置部１３６上に載置される。
【００４２】
前記フック部１２３は、接合部１２１の端部から露出部１２２に平行な方向に延び、一つまたは二つ以上が備えられる。このようなフック部１２３は、バスバー１２０をバスバーフレーム１３０の内側に固定するものであって、バスバーフレーム１３０の内側面に備えられたフック固定部１３５に結合／固定される。
【００４３】
このように、前記バスバー１２０は、バスバーフレーム１３０の内部に固定され、その一部がバスバーフレーム１３０の外側に露出するように設けられる。バスバーフレーム１３０の内側に位置する部分である接合部１２１は、電極リード１１４の下面と接合し、バスバーフレーム１３０の外側に位置する部分である露出部１２２は、コネクタ２０と連結されて隣接した単位モジュール１０同士を電気的に連結する。
【００４４】
以下、図６とともに図８〜図１１を参照して、本発明の一実施形態による単位モジュール１００を構成するバスバーフレーム１３０について説明する。
【００４５】
図８は本発明の一実施形態によるバッテリーモジュールに適用される単位モジュールとバスバーとが結合された形態を示した正面図であり、図９及び図１０は本発明の一実施形態によるバッテリーモジュールに適用されるバスバーフレームを構成する単位フレームをそれぞれ異なる角度で示した斜視図であり、図１１は本発明の一実施形態によるバッテリーモジュールに適用されるバスバーフレームを構成する単位フレームを示した側面図である。
【００４６】
まず、図６及び図８を参照すれば、前記バスバーフレーム１３０は、バッテリーセル１１０のテラス部Ｔに取り付けられ、上述したようにバスバー１２０の支持体として機能する。
【００４７】
前記バスバーフレーム１３０は、同じ形態を有する第１単位フレーム１３０Ａと第２単位フレーム１３０Ｂとが結合されて具現される。すなわち、前記第１単位フレーム１３０Ａと第２単位フレーム１３０Ｂとは、同じ形態を有する部品であって、第１単位フレーム１３０Ａはテラス部Ｔの上面の少なくとも一部を覆い、第２単位フレーム１３０Ｂはテラス部Ｔの下面の少なくとも一部を覆いながら相互結合される。
【００４８】
一方、前記第１単位フレーム１３０Ａと第２単位フレーム１３０Ｂとが相互結合して一つのバスバーフレーム１３０を形成したとき、第１単位フレーム１３０Ａと第２単位フレーム１３０Ｂとは点対称関係をなす。
【００４９】
すなわち、完成された一つのバスバーフレーム１３０において、第１単位フレーム１３０Ａを長さ方向の中心点を基準にして１８０度回転させれば、第２単位フレーム１３０Ｂと同じ形態になる。
【００５０】
このように互いに点対称関係をなしている一対の単位フレーム１３０Ａ、１３０Ｂが結合するとき、結合面の隙間からバスバー１２０が引き出される。すなわち、前記バスバー１２０の露出部１２２は、第１単位フレーム１３０Ａと第２単位フレーム１３０Ｂとの結合面の隙間を通って引き出される。
【００５１】
また、引き出されたバスバー１２０は、第１単位フレーム１３０Ａまたは第２単位フレーム１３０Ｂに向かって曲げられて第１単位フレーム１３０Ａまたは第２単位フレーム１３０Ｂに形成されたバスバー載置部１３６に載置されるが、曲げ方向は第１単位フレーム１３０Ａと接する単位モジュール１００及び第２単位フレーム１３０Ｂと接する単位モジュールのうち何れと電気的な連結関係を成そうとするかによって決定される。
【００５２】
上述したように、一対の単位フレーム１３０Ａ、１３０Ｂは、互いに同じ形態を有する部品であるため、バスバーフレーム１３０の具体的な構造は、図９〜図１１を参照して、一つの単位フレーム（１３０Ａまたは１３０Ｂ）を基準にして説明する。
【００５３】
図９〜図１１を参照すれば、前記単位フレーム１３０Ａ、１３０Ｂは、固定突起１３１、突起収容溝１３２、溶接スリット１３３、フック収容溝１３４、フック固定部１３５、バスバー載置部１３６、コネクタホルダ１３７を含むことができる。
【００５４】
前記固定突起１３１及び突起収容溝１３２は、それぞれの単位フレーム１３０Ａ、１３０Ｂの結合面及びその反対側の面上に少なくとも一つ以上形成され、固定突起１３１と突起収容溝１３２とは単位フレーム１３０Ａ、１３０Ｂそれぞれの対向面の対応する位置に対を成して形成される。すなわち、第１単位フレーム１３０Ａの結合面に形成された固定突起１３１は、第２単位フレーム１３０Ｂの結合面に形成された突起収容溝１３２に対応する大きさと形状で、対応する位置に形成される。同様に、第１単位フレーム１３０Ａの結合面に形成された突起収容溝１３２は、第２単位フレーム１３０Ｂの結合面に形成された固定突起１３１に対応する大きさと形状で、対応する位置に形成される。
【００５５】
このように対を成して固定突起１３１と突起収容溝１３２とを形成することで、第１単位フレーム１３０Ａと第２単位フレーム１３０Ｂとを互いに結合／固定することができる。
【００５６】
また、このような固定突起１３１及び突起収容溝１３２は、単位フレーム１３０Ａ、１３０Ｂそれぞれの対向面だけでなく、その反対側の面にも形成されるため、互いに隣接した単位モジュール（１００Ａ、１００Ｂ）（図４及び図５を参照）同士もこのような固定突起１３１及び突起収容溝１３２を用いて結合することができる。
【００５７】
図９及び図１１を参照すれば、前記溶接スリット１３３は、単位フレーム１３０Ａ、１３０Ｂの接合面と垂直な面に形成され、バスバーフレーム１３０の内部に位置する電極リード１１４（図５を参照）及びバスバー１２０の接合部位の溶接を実行可能にする。前記溶接スリット１３３は、電極リード１１４とバスバー１２０との接合部位の全体幅にわたって溶接が行われるように、電極リード１１４とバスバー１２０との接合部位の幅と対応する長さで形成され得る。
【００５８】
前記バスバーフレーム１３０は、バッテリーセル１１０に取り付けられて単位モジュール１００を構成する要素であって、その内部に固定／結合されたバスバー１２０が電極リード１１４と密着するように加圧する加圧ジグとしての機能も果たし、また、溶接スリット１３３を備えることで、溶接空間を確保するための別途の作業なしに容易に溶接を実行できるようにする。
【００５９】
前記フック収容溝１３４は、溶接スリット１３３から延設され、バスバー１２０のフック部１２３が収容される空間を提供する。このような機能を考慮して、前記フック収容溝１３４は、フック部１２３と同じ個数で形成され得る。
【００６０】
前記フック固定部１３５は、フック収容溝１３４の内壁面上に形成されるものであって、フック部１２３と締結できるように対応する形状を有する。すなわち、前記フック固定部１３５は、フック収容溝１３４上に形成された溝の形態または突出した突起の形態など多様な形態で形成され得る。
【００６１】
前記バスバー載置部１３６は、バスバー１２０のうちバスバーフレーム１３０の外側に露出した部分である露出部１２２が揺れることなく載置できるように、露出部１２２に対応する大きさと形状でバスバーフレーム１３０の外側面上に凹をなして形成される。
【００６２】
前記バスバー載置部１３６は、その表面に長さ方向に沿って凹んだ溝状に形成された損傷防止溝１３６ａが備えられるが、これはバスバー１２０とコネクタ２０（図３及び図４を参照）との結合のため溶接が行われる過程でバスバー載置部１３６が損傷されることを防止するためである。
【００６３】
すなわち、前記バスバーフレーム１３０は、樹脂射出物からなり得るが、この場合、バスバー載置部１３６上に載置されたバスバー１２０の露出部１２２とコネクタ２０との結合のために溶接が行われる過程でバスバー載置部１３６が熱によって損傷される可能性が高い。
【００６４】
したがって、溶接が行われる溶接線に対応する位置に溝を形成して、部分的にバスバー１２０とバスバー載置部１３６とを接触させないことで、溶接による熱伝導によって樹脂射出物が融けることを防止することができる。
【００６５】
以下、図３及び図４とともに図８〜図１１を参照して、前記コネクタホルダ１３７について説明する。
【００６６】
前記コネクタホルダ１３７は、単位フレーム１３０Ａ、１３０Ｂのバスバー載置部１３６と同じ面に突出した形態で形成され、単位フレーム１３０Ａ、１３０Ｂの長さ方向の一側及び／または他側に少なくとも一つが形成される。
【００６７】
前記コネクタホルダ１３７は、コネクタ２０とバスバー１２０との接合のための溶接時にコネクタ２０を固定する構成要素である。すなわち、前記コネクタホルダ１３７によってコネクタ２０の固定位置がブロック化され、コネクタホルダ１３７に対応する大きさと形状でコネクタ２０に形成された挿入孔にコネクタホルダ１３７が挿入されてコネクタ２０を固定させることで、別途の固定ジグを用いなくても、コネクタ２０とバスバー１２０との接合のための溶接を実行することができる。
【００６８】
図３及び図４を参照すれば、互いに隣接した一対の単位モジュール（１００Ａ、１００Ｂ）または３個以上の単位モジュール１００のそれぞれに備えられたコネクタホルダ１３７は、一つのコネクタ２０と同時に締結され、これによって互いに向かって曲げられた第１単位モジュール１００Ａのバスバー１２０と第２単位モジュール１００Ｂのバスバー１２０とが、一つのコネクタ２０と共通して接触し、一対の単位モジュール（１００Ａ、１００Ｂ）または３個以上の単位モジュール１００同士が電気的に連結される。
【００６９】
以下、図１２〜図１５を参照して、本発明の一実施形態によるバッテリーモジュールの多様な電気的連結形態について説明する。
【００７０】
図１２及び図１３は、ブロック化されたコネクタ結合座に一種のバスバーを複数個用いて１３個のバッテリーセルを１Ｐ／１３Ｓタイプで連結する様子を示した図であり、図１４及び図１５は、ブロック化されたコネクタ結合座に二種のバスバーを用いて１２個のバッテリーセルを２Ｐ／６Ｓタイプで連結する様子を示した図である。
【００７１】
まず、図１２及び図１３を参照すれば、前記単位モジュール積層体１０を構成するそれぞれの単位モジュール１００は互いに直列に連結されている。このようにすべての単位モジュール１００が互いに直列に連結されている場合、互いに隣接した一対の単位モジュール１００同士を連結するために適用される複数のコネクタ２０は、すべて同じサイズ及び／または形状を有し得る。
【００７２】
図１４及び図１５を参照すれば、一部の単位モジュール１００同士は並列で連結されて並列連結グループを成し、互いに隣接した並列連結グループ同士は直列連結を成す。このように直列／並列連結が混合された形態で電気的連結がなされる場合は、並列連結に用いられる第１コネクタ２０Ａと直列連結に用いられる第２コネクタ２０Ｂとが異なるサイズ及び／または形状を有し得る。
【００７３】
すなわち、本発明の一実施形態によるバッテリーモジュールは、単位モジュール積層体１０を成すそれぞれの単位モジュール１００毎にコネクタ２０の固定のためのコネクタホルダを備えているため、コネクタ２０が固定される部分がブロック化されている。これによって、単に前記コネクタ２０のサイズ及び形態を変えて適用するだけで、所望の電気的連結形態を具現することができ、単位モジュール１００の連結個数を調節することによって所望の容量及び電圧を得ることができる。
【００７４】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００７５】
１０  単位モジュール積層体
２０  コネクタ
２０Ａ  第１コネクタ
２０Ｂ  第２コネクタ
３０  外部端子
１００  単位モジュール
１００Ａ  第１単位モジュール
１００Ｂ  第２単位モジュール
１１０  バッテリーセル
１１１  セルケース
１１２  収容部
１１３  シーリング部
１１４  電極リード
１２０  バスバー
１２１  接合部
１２２  露出部
１２３  フック部
１３０  バスバーフレーム
１３０Ａ  第１単位フレーム
１３０Ｂ  第２単位フレーム
１３１  固定突起
１３２  突起収容溝
１３３  溶接スリット
１３４  フック収容溝
１３５  フック固定部
１３６  バスバー載置部
１３６ａ  損傷防止溝
１３７  コネクタホルダ
Ｔ  テラス部
【図１】
2020535601.tif 000003
【図２】
2020535601.tif 000004
【図３】
2020535601.tif 000005
【図４】
2020535601.tif 000006
【図５】
2020535601.tif 000007
【図６】
2020535601.tif 000008
【図７】
2020535601.tif 000009
【図８】
2020535601.tif 000010
【図９】
2020535601.tif 000011
【図１０】
2020535601.tif 000012
【図１１】
2020535601.tif 000013
【図１２】
2020535601.tif 000014
【図１３】
2020535601.tif 000015
【図１４】
2020535601.tif 000016
【図１５】
2020535601.tif 000017
【国際調査報告】
2020535601.tif 000018
2020535601.tif 000019
2020535601.tif 000020
2020535601.tif 000021